(57)【要約】【課題】  従来のエスカレーター用保護体は、重量がかさみそれが万一落下した場合に階下の通行人に危害を及ぼす、適用時に欄干種類に左右される、照明ランプの保全性に劣る、などの問題があった。【解決手段】  この問題を解消するため本発明のエスカレーター１が備える保護体６を、危険な楔状空間Ｑを閉じるため固定体２と外デッキ１Ｄに固定される前縁柱３と、この前縁柱３に固定される略三角状の板体４と、水平間隔ｍを閉じる閉塞体５とで形成した。【選択図】図３
2012229123.tif 000002
【特許請求の範囲】
【請求項１】
水平路と傾斜路を無端状に連結されて移動するステップと、このステップの手すりとなるハンドレールと、このハンドレールの案内路を形成する欄干パネル、欄干デッキ等からなる欄干と、このハンドレールとの間に水平間隔を有して近接する建屋天井等の固定体とで形成される楔状空間に、略三角状の板体等からなる保護体を備えたエスカレーターにおいて、前記楔状空間に前記固定体と前記外デッキに固定されて直立する前縁柱を設ける一方、前記板体の下端部を前記ハンドレールの上面よりも下方に位置させた状態で前縁柱に固定し、かつこの板体よりもさらに下方に位置して前記水平間隔を閉じるように前記欄干パネル側に向けて延設された閉塞体を前縁柱に固定して設けてなる保護体を備えたことを特徴とするエスカレーター。
【請求項２】
請求項１記載の閉塞体は、前記ハンドレールの上面よりもそれの厚さの３倍以上下方に離れて位置させてなる構成の保護体を備えたことを特徴とするエスカレーター。
【発明の詳細な説明】
【技術分野】
【０００１】  本発明は、動く歩道を含めて通称されるエスカレーターのハンドレールと建屋天井等の固定体間で形成される楔状空間において主に利用者の頭部はさまれ事故を防止するに好適な保護体を備えたエスカレーターに関する。
【背景技術】
【０００２】  本技術分野の背景技術として、特開２００９−１９０８９３号公報（特許文献１）がある。この公報には「垂直辺とでＬ字形をなす閉塞辺を有する一体物の保護体」とした旨記載されている。
【先行技術文献】
【特許文献】
【特許文献１】特開２００９−１９０８９３号公報
【発明の概要】
【発明が解決しようとする課題】
【０００３】  上記文献１に開示された保護体は、エスカレーター両側の欄干上端部に設けられ、上昇方向に移動するハンドレールとこのハンドレールに近接する建屋天井等の固定体（障害物）で形成される楔状空間に、一般にアクリル樹脂製で「三角ガード板」と通称される保護体を設けることによって、乗客の上半身がハンドレールを超えて欄干デッキ側にまで頭部を下げて乗った時に起こるはさまれ事故を防止するべく提案しているが、
１）破損時の落下事故：重量物である板体（垂直辺）に対して、これと一体で折り曲げられた閉塞辺が追加となる関係でかなりの重量物となり、これが万一破損して落下した時にエスカレーター周辺の通行人に危害が及んでしまう（ここで、保護体は乗客の衝突等によりその固定部の付け根から破損することが多く、ほぼ全重量が落下することが知られている）。
２）取付対応の柔軟性：上記文献のような保護体は、垂直辺と閉塞辺の位置（寸法）関係が限定かつ固定的で、欄干高さ（ハンドレールの高さ位置）が異なるエスカレーターに対して共通的に適用できず欄干種類ごとに製造する必要があって、結果としてコスト高になる問題があった。
３）保全性：上記文献の閉塞辺は、かなりの長さを有しているためにハンドレール周りの構成部品、特に照明ランプの保全作業に必要なスペースが確保されていない。
などの問題があり、安全面、経済面および保全面での解決が望まれていた。【０００４】  本発明は、このような問題を解消するためになされたものであり、落下事故防止に有効な強度保持による安全性の確保、さらに欄干種類が異なる場合でも対応が容易で保全スペース的にも優れたエスカレーター設備を提供することを目的とする。
【課題を解決するための手段】
【０００５】  本発明は、上記目的を達成するため請求項１記載のように、水平路と傾斜路を無端状に連結されて移動するステップと、このステップの手すりとなるハンドレールと、このハンドレールの案内路を形成する欄干パネル、欄干デッキ等からなる欄干と、このハンドレールとの間に水平間隔を有して近接する建屋天井等の固定体とで形成される楔状空間に、略三角状の板体等からなる保護体を備えたエスカレーターにおいて、前記楔状空間に前記固定体と前記外デッキに固定されて直立する前縁柱を設ける一方、前記板体の下端部を前記ハンドレールの上面よりも下方に位置させた状態で前縁柱に固定し、かつこの板体よりもさらに下方に位置して前記水平間隔を閉じるように前記欄干パネル側に向けて延設された閉塞体を前縁柱に固定して設けてなる保護体を備えたことを特徴とするエスカレーターとしている。【０００６】  また、上記目的を達成するため請求項２記載のように前記閉塞体は、前記ハンドレールの上面よりもそれの厚さの３倍以上下方に離れて位置させてなる構成の保護体を備えたことを特徴とするエスカレーターとしている。
【発明の効果】
【０００７】  上記請求項１の構成によれば、本発明の保護体の一部を構成する前縁柱は、固定体と外デッキに固定されることによって頑丈な構造柱となり、これに付加される板体および閉塞体の取付強度も丈夫になって従来のようにこれらが落下することによって周辺通行人に危害を及ぼすことはなくなると言える。また、本発明の保護体の一部を構成する閉塞体は、前縁柱の下端付近のどの部位にでも取り付けられるので欄干の高さが異なる機種でも閉塞体の高さ調整が可能なメリットを有し、これによってより高強度で安全なエスカレーター設備を提供できる。さらに、請求項２の構成によれば、ハンドレール周り、特に照明ランプの点検・交換などの作業スペースが確保できるなど保全面でも有効なエスカレーター設備を提供できる。
【図面の簡単な説明】
【０００８】
【図１】本発明の実施形態を示す要部の側面図である。
【図２】図１のＡ−Ａ線に沿う断面図である。
【図３】本発明の実施形態を示す左側斜視図である。
【発明を実施するための形態】
【０００９】  以下、本発明による保護体を備えたエスカレーターについての実施形態を図１〜図３を用いて説明する。
【実施例】
【００１０】  図において、エスカレーター１は乗降口がある水平路から傾斜路を無端状に連結されて移動する多数のステップ１Ａと、このステップ１Ａの手すりとなるハンドレール１Ｂと、このハンドレール１Ｂの案内路を形成する欄干パネル１Ｃ、欄干デッキ１Ｄ等からなる高さＨ（図２）の欄干１Ｅを備えている。そして、ハンドレール１Ｂとの間に水平間隔ｍを空けて位置し、ハンドレール１Ｂとは傾斜角度が異なる建屋天井等の固定体２とで形成される楔状空間Ｑには、その上端部が固定体２に対して金具３Ａを介してビス３Ｂで固定され、またその下端部が外デッキ１Ｄに対して金具３Ｃを介してビス３Ｄで固定される前縁柱３が固定されている。また、前縁柱３には固定体２の下面に沿って、その下端部４Ａがハンドレール１Ｂの上面よりも下側への重なりｈａを有する略三角状の板体４が金具４Ｂとビス４Ｃによって固定される一方、それの後部が金具４Ｄとビス４Ｅによって固定体２に固定されている。さらに、板体４の下端部４Ａよりもさらに下方に延びてハンドレール１Ｂの上面よりも下に間隔ｎを有して水平間隔ｍを閉じるように欄干パネル１Ｃ側に向けて延設された板状の閉塞体５が前縁柱３にビス５Ａによって固定されている。ここで、欄干高さＨの寸法は製造時期や製造メーカの相違により１０〜５０ｍｍ程度の差異があるが、その場合には設置現場において閉塞体５を乗客の安全面と保全面を考慮した所定位置である間隔ｎを決定した後にビス５Ａにより前縁柱３に固定する仕組みである。このように、前縁柱３、板体４および閉塞体５で構成される本発明の保護体６の前方には揺動自在な保護体７を備えている。【００１１】  要するに、本発明の保護体６は主部材である頑丈な前縁柱３に対して板体４と閉塞体５を付属させた状態で固定体２と外デッキ１Ｄに固定されて全体として請求項１のエスカレーター１を構成している。加えて、閉塞体５はハンドレール１Ｂの上面よりもそれの厚さの３倍以上下方、すなわち欄干１Ｅの照明ランプ１Ｆよりもさらに低い所の間隔ｎを保って位置して全体として請求項２のエスカレーター１を構成している。【００１２】  なお、保護体６は前縁柱３と板体４によって楔状空間Ｑの垂直方向を閉じるほか、閉塞体５によって水平間隔ｍを閉じて乗客の上半身がハンドレール１Ｂを超えて欄干デッキ１Ｄ側まで頭を下げてはさまれる事故も防止できる。この場合、従来の垂直辺と一体の閉塞辺である構造に比べると閉塞体５の取付位置決めに柔軟性（前縁柱３の一定範囲で上下調整できる）があり、かつ本発明の板体４および閉塞体５は頑丈な前縁柱３に確実に固定されるので落下の心配はなく階下の通行人に危害を及ぼす心配はない。また、間隔ｎは照明ランプ１Ｆの球切れ交換時の作業スペースとして活用され、保全性にも優れたものとなる。【００１３】  ここで、実施形態として例示した前縁柱３に対する板体４および閉塞体５の固定構造は金具やビスに限定されるものではなく、接着等によるものでもよい。
【産業上の利用可能性】
【００１４】  以上説明したように上記実施形態によれば、欄干種類を問わず動く歩道を含む各種エスカレーターに対応可能な保護体を提供することができ、安全性および保全性に優れたエスカレーターを実現できる。
【符号の説明】
【００１５】１  エスカレーター
１Ａ  ステップ
１Ｂ  ハンドレール
１Ｃ  欄干パネル
１Ｄ  欄干デッキ
１Ｅ  欄干
２  固定体
３  前縁柱
４  板体
４Ｂ  下端部
５  閉塞体
６  保護体
Ｑ  楔状空間
ｍ  水平間隔
ｈａ  重なり
ｎ  間隔
【図１】
2012229123.tif 000003
【図２】
2012229123.tif 000004
【図３】
2012229123.tif 000005